(57)【特許請求の範囲】
【請求項１】
前方部材と後方部材を連結させた折りたたみ傘収納部と、前記後方部材の上部に構成したカバー部と、このカバー部上端に構成した第１固着具を備えた折り返し部と、前記折りたたみ傘収納部の後方部材の表面に構成した前記折り返し部の第１固着具と係合する第４固着具と、前記折りたたみ傘収納部上部の両側または片側に設けたベルトにより構成され、未使用時は折りたたみ傘収納部を前方部材側にカバー部で覆われるように折りたたみ、この折りたたんだ折りたたみ傘収納部にカバー部を重ねて、折り返し部を後方部材側に巻き込んで、且つ折り返し部の第１固着具と後方部材の第４固着具を係合させる折りたたみ傘収納保持袋。
【請求項２】
前記折りたたみ傘収納部の後方部材表面に、カバー部上端の折り返し部と係合する第１固着具と長幅ベルトを構成した請求項１記載の折りたたみ傘収納保持袋。
【請求項３】
前記折りたたみ傘収納部の上部の両側または片側に長さ調節可能な第２固着具を設けたベルトを構成した請求項１から２記載の折りたたみ傘収納保持袋。
【発明の詳細な説明】
【技術分野】
【０００１】    本発明は、折りたたみ傘収納保持袋に関する。
【背景技術】
【０００２】  折りたたみ傘は、保持袋に入れて手に持つか折りたたんで保持袋ごとかばんに収納している。また、保持袋を２重にした保持具をかばんの縁に取り付ける、あるいは使用して濡れた折りたたみ傘を収納出来る状態に折りたたんで保持具に収納するなどがある。長傘の場合、手の開放を図る為に電車の手すりに引っ掛けて置くなどしている。また、長傘保持具としては、保持具をかばんに直接取り付けたり、かばんに巻き付けその保持具に長傘を留めるなどがある。
なお、関連技術として下記の物件がある。
【特許文献１】実開平６−３６４１２号公報
【特許文献２】実開第３０５７１３７号公報
【特許文献３】特開２００２−１２５７３４号公報
【発明の開示】
【発明が解決しようとする課題】
【０００３】  特許文献１記載の発明にかかる傘入れ袋は、保持袋をかばんの縁に引っ掛ける為かばんの縁に強度を必要とし且つ様々な形態に対応しずらく又常にかばんを立てておかなくてはならない。特許文献２記載の発明にかかる傘袋は、濡れた傘を折りたたまなくては収納出来ない不便さがある。特許文献３記載の発明にかかる傘ホルダでは保持具自体をかばんに巻き付けて装着するがかばんを開ける事が困難であったり、保持具を直接かばんに取り付ける場合はかばんの特定と、かばんあるいは保持具のいずれかに不具合が生じた際はどちらも処分しなくてはならず無駄であるという問題がある。【０００４】  以上に述べた様に、従来の折りたたみ傘保持袋では、目的を解決する余り利便性に疑問を生じている。因みに使用して濡れた折りたたみ傘をつぼめた状態で簡便には収納出来ず、漏水防止や保持袋使用時の両手の開放が十分でなかったり又、長傘保持具も含め専用のかばん、バッグ等に関しても大げさな収納保持袋を考える余り取り扱いが簡便でない点で問題がある。【０００５】  本発明では、使用した折りたたみ傘を閉じた状態で収納し、かばん、バッグ等に簡単に装着保持し、長傘の保持具を兼ね備えた折りたたみ傘収納保持袋を提供する事および保持袋未使用時はコンパクトな形状で携行または収納出来、使用時は手の開放を図る事を目的とするものである。
【課題を解決するための手段】
【０００６】  前方部材と後方部材を連結させた折りたたみ傘収納部と、前記後方部材の上部に構成したカバー部と、このカバー部上部に構成した第１固着具を備えた折り返し部と、前記折りたたみ傘収納部の後方部材の表面に構成した前記折り返し部の第１固着具と係合する第４固着具と、前記折りたたみ傘収納部上部の両側または片側に設けたベルトにより構成され、未使用時は折りたたみ傘収納部を前方部材側にカバー部で覆われるように折りたたみ、この折りたたんだ折りたたみ傘収納部にカバー部を重ねて、折り返し部を後方部材側に巻き込んで、且つ折り返し部の第１固着具と後方部材の第４固着具を係合させる折りたたみ傘収納保持袋である。【０００７】  前記折りたたみ傘収納部の後方部材表面に、カバー部上部の折り返し部と係合する第１固着具と長幅ベルトを構成した請求項１記載の折りたたみ傘収納保持袋である。【０００８】  前記折りたたみ傘収納部の上部の両側または片側に長さ調節可能な第２固着具を設けたベルトを構成した請求項１から２記載の折りたたみ傘収納保持袋である。【０００９】  本発明は、上記構成から成るので以下に示す効果が期待できる。
１．保持袋未使用時および空の携行時は簡単に体裁良くポシェット風にコンパト化出来かばん等に簡単に装着出来る。（未使用時の場合はかばん内への収納も可）
２．差した折りたたみ傘をつぼめた状態で簡単に出し入れが出来る。
３．保持袋使用時は買い物、食事等建物や店舗に入る際は手が開放され何の妨げにもならない。
４．収納保持が簡単に出来る為、本来の折りたたみ傘の利便性を大いに発揮させ、折りたたみ傘の普及に役立つ。
５．乗物着席時に於いて簡単に長傘の装着保持が出来る。
６．長傘の安易な保持で、転倒による騒音や歩行時の邪魔等の迷惑を回避出来る。
７．かばん等に装着されているので忘れ物防止になる。
８．乗り物乗車中の保持袋使用時は（長傘、折りたたみ傘いずれの場合も）手の開放が図られ、読書勉学睡眠等が出来る。
【発明を実施するための最良の形態】
【００１０】  以下、本発明の実施形態について図面を参照に説明する。
図１は折りたたみ傘収納保持袋の正面図で、図２はその背面図である。保持袋本体１は、前方部材１０と後方部材２０を縫製又は接着で袋状に形成し且つ防水が施され、長傘を安定して保持するための位置である折りたたみ傘収納部１ａ上部の両側には、第２固着具雌部と複数個の第２固着具雄部が設けられたベルト３０が取り付けられ、後方部材２０の上部に構成したカバー部４０にはその上端に第１固着具雌部４２を有する折り返し部４０ａを設け、折りたたみ傘収納部の後方部材表面にはベルト３０の下に長傘用ベルト５０及び長傘用ベルト受け部５１、即ち長傘を挟み込んで長傘を保持する長傘用保持具が設けられており、さらにその下には保持袋本体１をコンパクトな状態に形成する為のカバー部４０に設けられた折り返し部４０ａを留める第４固着具雄部６０が設けられている。【００１１】  図７、図８及び図９は折りたたみ傘収納保持袋の使用状態を示す説明図である。折りたたみ傘収納部１ａにつぼめた状態の折りたたみ傘を収納し、第２固着具雄部３１雌部３２によってベルト３０の長さを調節しかばん等に装着する。図３及び図４は折りたたみ傘収納部１ｄを折りたたむ状態を示す説明図である。折りたたみ傘収納部１ａを前方部材側にカバー部で覆われるように折りたたみ、この折りたたんだ傘収納部１ａにカバー部４０を重ねて、折り返し部４０ａを後方部材側に巻き込んで、折り返し部４０ａに施した第１固着具雌部４２と第４固着具雄部６０を係合しコンパクトな形態を形成する。図５は長傘用保持具図であり、第３固着具を有する長傘用ベルト５０と長傘用ベルト受け部５１によって長傘を挟み、長さを調節したベルト３０によってかばん等に装着する。図１０は携行時の折りたたみ傘収納保持袋であり、折りたたみ傘保持袋の未使用時又は折りたたみ傘使用時で空の携行時に於ては、図６のようなコンパクトな形態にして、長さを調節したベルト３０によってかばん等に装着する。【００１２】  ベルト３０の長さを調節する固着具は、スナップボタン、面ファスナー等でもよい。また、ベルト３０は片側にＤ環あるいは固着具が施された短い受け部を設ける事により１本にする事も可能である。
後方部材上部のカバー部４０は、その内側上下２ヵ所に適宜の間隔をおいて第１固着具の雌雄部４１と４２が施されている。図７で示す様に、傘収納時にカバー部４０の折り返し部４０ａに施してある雌部４１と雌部４２を係合して折る事も可であるし、図８の様にカバー部４０が伸ばされていても良い。なおカバー部４０は強度を保つ為、素材の二重化が望ましいが、その場合は保持袋本体１を折りたたみ包み込んだ厚み分の二重化を避ける。また、前方部材１０の上部は二重の折り返し部１１を設ける事により前方部材１０と後方部材２０の僅かな隙間を指で広げる事で簡単に収納ができるので望ましい。
【実施例】
【００１３】  実施例１
濡れた折りたたみ傘を歩行時あるいは直立時において保持する場合は、ベルト３０をかばんやハンドバッグの持ち手取り付け部Ａに巻き付け、かばんやハンドバック等の腹部Ｂに密着するように調整し使用する。【００１４】  実施例２
着席時においては、ベルト３０をかばんやハンドバッグの持ち手取り付け部Ａに巻き付け、折りたたみ傘収納部１ａから水が漏れないようにかばんやハンドバッグ等の底部Ｃに密着させ垂直に使用する。【００１５】  実施例３
長傘保持具として使用する場合は、折りたたみ傘収納部１ａを前方部材側にカバー部４０で覆われるように折りたたみ、この折りたたんだ折りたたみ傘収納部１ａにカバー部４０を重ねて、折り返し部４０ａを後方部材側に巻き込んで、且つ折り返し部４０ａの第１固着具雌部４２と後方部材の第４固着具雄部６０を係合させてコンパクトな携行用に形成し、かばんやハンドバッグの底部Ｃに密着させるようベルト３０によって長さを調整し、長傘用ベルト５０と長傘用ベルト受け部５１即ち長傘保持具に挟み第３固着具雄部５２と雌部５３を留める。【００１６】  実施例４
収納した傘を再度使用する場合は、折りたたみ傘収納部１ａからの漏水を防ぐために折りたたみ傘収納部１ａを前方部側にカバー部４０で覆われるように折りたたみ、この折りたたんだ折りたたみ傘収納部１ａにカバー部４０を重ねて、折り返し部４０ａを後方部材側に巻き込んで、且つ折り返し部４０ａに施した第１固着具雌部４２と後方部材２０表面の長傘用ベルト５０の下にある第４固着具雄部６０を係合しコンパクトな形態（図６）を形成して、かばんの腹部Ｂに装着して携行する。再度折りたたみ傘を折りたたみ傘収納部１ａに収納する場合は前記固着具をはずし折りたたみ傘収納部１ａを伸ばして使用する。いずれの場合でもベルト３０に施してある第２固着具により最適な長さで使用することができる。
【図面の簡単な説明】
【００１７】
【図１】折りたたみ傘収納保持袋の正面図
【図２】折りたたみ傘収納保持袋の背面図
【図３】折りたたみ傘収納保持袋を折りたたむ状態を示す説明図
【図４】折りたたみ傘収納保持袋を折りたたむ状態を示す説明図
【図５】長傘用保持具を示す斜視図
【図６】折りたたみ傘収納保持袋を折りたたんだ状態を示す斜視図
【図７】折りたたみ傘収納保持袋の使用状態を示す斜視図
【図８】折りたたみ傘収納保持袋の使用状態を示す斜視図
【図９】長傘用保持具の使用状態を示す斜視図
【図１０】折りたたみ傘収納保持袋をかばんに取り付けた状態を示す斜視図
【符号の説明】
【００１８】  １    保持袋本体
１ａ  折りたたみ傘収納部
１０  前方部材
１１  二重の折り返し部
２０  後方部材
２１  本体厚み分の巾
３０  ベルト
３１  第２固着具雄部
３２  第２固着具雌部
４０  カバー部
４０ａ折り返し部
４１  第１固着具雄部
４２  第１固着具雌部
４３  第１固着具飾りボタン
５０  長傘用ベルト
５１  長傘用ベルト受け部
５２  第３固着具雄部
５３  第３固着具雌部
５４  第３固着具飾りボタン
６０  第４固着具雄部
Ａ    かばん持ち手取り付け部
Ｂ    かばん腹部
Ｃ    かばん底部
【図１】
0004183046.tif 000002
【図２】
0004183046.tif 000003
【図３】
0004183046.tif 000004
【図４】
0004183046.tif 000005
【図５】
0004183046.tif 000006
【図６】
0004183046.tif 000007
【図７】
0004183046.tif 000008
【図８】
0004183046.tif 000009
【図９】
0004183046.tif 000010
【図１０】
0004183046.tif 000011